(57)【要約】【課題】本発明は、歯科用印象収納容器に関するもので、衛生面に対するリスクを低減することを目的とするものである。【解決手段】そしてこの目的を達成するために本発明は、上面が開口した容器１２と、この容器１２内に設けた歯科用印象保持手段としてのピン１３と保持爪１４とを備え、前記ピン１３と保持爪１４により歯科用印象１の複数箇所を保持する構成としたものであるので、その結果、衛生面に対するリスクを低減することができる。【選択図】図８
2010099368.tif 000002
【特許請求の範囲】
【請求項１】
上面が開口した容器と、この容器内に設けた歯科用印象保持手段とを備え、前記歯科用印象保持手段は歯科用印象の複数箇所を保持する構成とした歯科用印象収納容器。
【請求項２】
容器の外周側面は、湾曲しながら小径となる構成とした請求項１に記載の歯科用印象収納容器。
【請求項３】
容器の内周側面には、凹凸を形成した請求項１または２に記載の歯科用印象収納容器。
【請求項４】
容器の内周側面は、黒色系とした請求項１から３のいずれか１つに記載の歯科用印象収納容器。
【請求項５】
歯科用印象保持手段は、容器の内底面中央部に植立したピンと、この容器の内底面外周部に設けた保持爪とにより構成した請求項１から４のいずれか１つに記載の歯科用印象収納容器。
【発明の詳細な説明】
【技術分野】
【０００１】
本発明は、歯科用印象収納容器に関するものである。
【背景技術】
【０００２】
従来の歯科用印象収納容器の構成は、以下のような構成となっていた。
【０００３】
すなわち、上面が開口した立方体形状の容器と、この容器の内底面に設けた歯科用印象の設置部とを有し、患者から採取した歯科用印象はこの容器の前記設置部に置かれ、この状態で保管や測定部への搬送を行う構成となっていた（例えば下記特許文献１）。
【特許文献１】実開平６−１１７１１号公報
【発明の開示】
【発明が解決しようとする課題】
【０００４】
上記従来例における課題は、衛生面に対するリスクを低減することができないということであった。
【０００５】
すなわち、上述のごとく採取された歯科用印象は、容器内に入れて測定部まで搬送されるが、この測定部においては、歯科用印象を手で取りだし、手で持った状態で測定を行っていたので、この測定部において歯科用印象に直接手で触れることが多くなり、このことが衛生面に対するリスクを発生させるものであった。
【０００６】
なお、この測定時において、衛生上のリスクがあることは、「Ｑｕｉｎｔｅｓｓｅｎｃｅ  ｏｆ  Ｄｅｎｔａｌ  Ｔｅｃｈｎｏｌｏｇｙ  Ｖｏｌ．３３／２００８  Ａｐｒｉｌ  ｐａｇｅ４４０から４５６」にも詳細な報告がなされている。
【０００７】
そこで本発明は、衛生面に対するリスクを低減することを目的とするものである。
【課題を解決するための手段】
【０００８】
そして、この目的を達成するために本発明は、上面が開口した容器と、この容器内に設けた歯科用印象保持手段とを備え、前記歯科用印象保持手段は歯科用印象の複数箇所を保持する構成とし、これにより所期の目的を達成するものである。
【発明の効果】
【０００９】
以上のように本発明は、上面が開口した容器と、この容器内に設けた歯科用印象保持手段とを備え、前記歯科用印象保持手段は歯科用印象の複数箇所を保持する構成としたものであるので、衛生面に対するリスクを低減することができる。
【００１０】
すなわち、本発明においては、採取した歯科用印象は、容器内の歯科用印象保持手段によって複数箇所を保持された状態となっているので、その保持状態は、きわめて安定しており、よって、たとえば測定部への搬送時に歯科用印象が容器外に飛び出すことはなく、また、測定部においては、上述のごとく歯科用印象保持手段によって複数箇所を保持され、その保持状態が安定していることから、容器内に歯科用印象を保持させた状態でも測定をすることができ、つまり、一旦容器に収納させた後には、歯科用印象に手を触れることなく測定を行うことができるので、衛生面に対するリスクを低減することができるものである。
【発明を実施するための最良の形態】
【００１１】
以下、本発明の一実施形態を添付図面を用いて説明する。
【００１２】
図１において、１は歯科用印象で、スコップ状の基板２の上面側に、半円形の型取り体３を設けた構成としている。
【００１３】
また、基板２の持ち手部分４には、つり下げ保管用の貫通孔５が設けられ、また、前方の半円形の型取り体３で囲まれた平面部分には、保持用の貫通孔６が設けられている。
【００１４】
この歯科用印象１は、図２に示すごとく歯科医７が持ち手部分４を持って、患者８の口腔内９にその半円形の型取り体３を挿入し、その状態で患者８がその型取り体３を噛みつけることで、歯の印象が型取り体３に転写形成されることになる。
【００１５】
なお、この図２は、患者８の上顎の歯の印象を採取しようとしている図であり、その結果として、図３に示すごとく患者８の上顎の印象が採取される。
【００１６】
この図３において、１０は患者８の上顎の歯が型取り体３に食い込んだ結果の凹部であり、後にこの凹部１０の大きさ深さ形状が測定され、それに基づき治療用の例えば義歯が作成されたり、穴の開いた歯への詰め物が形成されたりする。
【００１７】
図４から図６は、図３に示すごとく患者８の歯の印象が採取された歯科用印象１の収納容器１１を示す物である。この収納容器１１は、これらの図４から図６に示すように、上面が開口した円形有底筒状の容器１２と、この容器１２の底面中央部に植立したピン１３と、この容器１２の底部外周部に設けた保持爪１４とにより構成されている。
【００１８】
なお、図６に示すごとく容器１２の底面には、円錐台状の台１５が形成され、この台１５上に前記ピン１３が植立されている。また、この台１５の外周には、保湿用のリング１６が設けられ、このリング１６には、水が含浸させられている。
【００１９】
さて、このような構成の収納容器１１には、図７、図８のごとく、前記図３の歯科用印象１が収納保持される。具体的には、図７に示すごとく歯科用印象１を容器１２の上面開口からその中に入れ、まずは、貫通孔６にピン１３を貫通させ、その状態で歯科用印象１を垂直方向に下げれば、歯科用印象１の持ち手部分４によって左右の保持爪１４がその弾性で左右に開き、さらに、持ち手部分４を垂直方向に下げれば、左右の保持爪１４が弾性復帰し、その結果として図８に示すごとく保持爪１４は、持ち手部分４を左右に、また上方より保持することとなる。
【００２０】
この時、歯科用印象１の前方は、貫通孔６とピン１３の嵌合により保持されているので、つまり、歯科用印象１はその前後の２箇所で保持されているので、その保持状態はきわめて安定したものとなる。
【００２１】
したがって、図９に示す測定部への搬送時に、歯科用印象１が容器１２外に飛び出すことなどはない。
【００２２】
図９は、測定装置１７を示し、基台１８上にはリング状の保持部１９が設けられ、また、保持部１９の上方には、光学的な測定部２０が設けられている。
【００２３】
保持部１９は、その内周部が内方に緩やかに傾斜した傾斜面２１となっており、この傾斜面２１の円周方向における１２０度の部分ごとに、ゴムの薄板よりなる保持板２２が配置されている。
【００２４】
一方、前記容器１２は、その外周面の下部が緩やかに湾曲した湾曲面２３となっており、従って、容器１２を保持部１９上に設置する場合には、図１０のごとく、容器１２を水平状態に保持させることができるのはもちろんのこと、図１１、図１２のごとく、容器１２を傾斜させた状態で保持させることも出来る。
【００２５】
つまり、図１０のごとく上方から測定部２０による光学的な測定を行うにあたり、容器１２を水平方向に、最も測定に適切な位置に回動させることも、容器１２を傾斜方向に、最も測定に適切な位置に回動させることも容易に行え、しかも、その時保持部１９の傾斜面２１に設けた保持板２２で、その容器１２の姿勢が安定的に保持されるので、測定は容易にかつ適切に行えるものとなる。
【００２６】
また、この測定の際、測定部２０から歯科用印象１に向けて光が照射されるので、容器１２の内面を凹凸に処理したり、黒色系に処理することで、光の反射による測定ミスを抑制する対策が講じられている。
【００２７】
以上のごとく本実施形態の収納容器１１を用いれば、たとえば測定装置１７への搬送時に歯科用印象１が容器１２外に飛び出すことはなく、また、一旦容器１２に収納させた後には、歯科用印象１に手を触れることなく測定を行うことができるので、衛生面に対するリスクを低減することができるものである。
【産業上の利用可能性】
【００２８】
以上のように本発明は、上面が開口した容器と、この容器内に設けた歯科用印象保持手段とを備え、前記歯科用印象保持手段は歯科用印象の複数箇所を保持する構成としたものであるので、衛生面に対するリスクを低減することができる。
【００２９】
すなわち、本発明においては、採取した歯科用印象は、容器内の歯科用印象保持手段によって複数箇所を保持された状態となっているので、その保持状態は、きわめて安定しており、よって、たとえば測定部への搬送時に歯科用印象が容器外に飛び出すことはなく、また、測定部においては、上述のごとく歯科用印象保持手段によって複数箇所を保持され、その保持状態が安定していることから、容器内に歯科用印象を保持させた状態でも測定をすることができ、つまり、一旦容器に収納させた後には、歯科用印象に手を触れることなく測定を行うことができるので、衛生面に対するリスクを低減することができるものである。
【００３０】
したがって、歯科技工士の活用が期待されるものである。
【図面の簡単な説明】
【００３１】
【図１】本発明の一実施形態で用いる歯科用印象の斜視図
【図２】図１の活用例を示す斜視図
【図３】本発明の一実施形態で用いる歯科用印象の斜視図
【図４】本発明の一実施形態の収納容器を示す斜視図
【図５】その平面図
【図６】図５のＡ−Ａ断面図
【図７】本発明の一実施形態の収納容器を示す斜視図
【図８】本発明の一実施形態の収納容器を示す斜視図
【図９】本発明の一実施形態で使用する測定装置の斜視図
【図１０】本発明の一実施形態で使用する測定装置の斜視図
【図１１】本発明の一実施形態で使用する測定装置の断面図
【図１２】本発明の一実施形態で使用する測定装置の平面図
【符号の説明】
【００３２】
１  歯科用印象
２  基板
３  型取り体
４  持ち手部分
５  貫通孔
６  貫通孔
７  歯科医
８  患者
９  口腔内
１０  凹部
１１  収納容器
１２  容器
１３  ピン
１４  保持爪
１５  台
１６  リング
１７  測定装置
１８  基台
１９  保持部
２０  測定部
２１  傾斜面
２２  保持板
【図１】
2010099368.tif 000003
【図２】
2010099368.tif 000004
【図３】
2010099368.tif 000005
【図４】
2010099368.tif 000006
【図５】
2010099368.tif 000007
【図６】
2010099368.tif 000008
【図７】
2010099368.tif 000009
【図８】
2010099368.tif 000010
【図９】
2010099368.tif 000011
【図１０】
2010099368.tif 000012
【図１１】
2010099368.tif 000013
【図１２】
2010099368.tif 000014